(57)【要約】【課題】従来に比して簡易な構成として準備や収納時の作業性を向上させるとともに破損しにくい心臓マッサージ訓練用器具を提供する。【解決手段】合成樹脂材料からなる人体の胸部に相当する模擬胸部本体２１と、該模擬胸部本体２１の心臓に相当する位置に凹状に形成された模擬心臓部３０と、該模擬心臓部３０内に溝深さが異なるとともに直交状に形成された浅溝部３５及び深溝部３６とを有する模擬胸部材２０と、前記模擬心臓部３０内の前記浅溝部３５及び前記深溝部３６上方に配置される合成樹脂発泡体よりなる圧迫部材４０と、前記模擬心臓部３０内の前記浅溝部３５と前記深溝部３６のいずれかに選択的に収容され前記圧迫部材４０上面からの十分な圧迫による該圧迫部材４０の圧縮力により音を発する発音部材５０とを備えたことを特徴とする。【選択図】図１
2013160982.tif 000002
【特許請求の範囲】
【請求項１】
合成樹脂材料からなる人体の胸部に相当する模擬胸部本体と、該模擬胸部本体の心臓に相当する位置に凹状に形成された模擬心臓部と、該模擬心臓部内に溝深さが異なるとともに直交状に形成された浅溝部及び深溝部とを有する模擬胸部材と、
前記模擬心臓部内の前記浅溝部及び前記深溝部上方に配置される合成樹脂発泡体よりなる圧迫部材と、
前記模擬心臓部内の前記浅溝部と前記深溝部のいずれかに選択的に収容され前記圧迫部材上面からの十分な圧迫による該圧迫部材の圧縮力により音を発する発音部材
とを備えたことを特徴とする心臓マッサージ訓練用器具。
【請求項２】
前記発音部材が幅方向に湾曲した板ばね部材よりなる請求項１に記載の心臓マッサージ訓練用器具。
【請求項３】
前記浅溝部と前記深溝部との直交位置に前記深溝部より下方に凹んだ心臓部凹部が形成されている請求項２に記載の心臓マッサージ訓練用器具。
【請求項４】
前記胸部本体の人体の左右の乳頭部に相当する各位置にそれぞれ模擬乳頭部が形成されているとともに、前記模擬胸部本体の人体の中心線上の剣状突起に相当する位置に模擬剣状突起部が形成され、前記各模擬乳頭部とを結ぶ線と前記中心線との交点に相当する位置で前記浅溝部と前記深溝部とが直交している請求項１ないし３のいずれか１項に記載の心臓マッサージ訓練用器具。
【請求項５】
前記浅溝部及び前記深溝部が前記中心線に対して斜め方向に配置されている請求項４項に記載の心臓マッサージ訓練用器具。
【請求項６】
前記模擬胸部材に人体の頭部に相当する模擬頭部材が取り付けられている請求項１ないし５のいずれか１項に記載の心臓マッサージ訓練用器具。
【発明の詳細な説明】
【技術分野】
【０００１】
本発明は、心臓マッサージの練習を行うための心臓マッサージ訓練用器具に関する。
【背景技術】
【０００２】
従来、心臓マッサージの練習を行う際には、等身大の人体模型の胸部に圧迫を感知するセンサを有する弾性部材が設けられた心臓マッサージ訓練用器具が用いられる。しかるに、等身大人体模型の訓練用器具は、巨大でかさばるため収納や持ち運びに不便である。しかも、センサ等の精密機器を備えるため、高価である。
【０００３】
そこで、近年では、上半身形状の人体模型からなる訓練用器具や、発泡合成樹脂により胸部を模式的に形成した訓練用器具等の小型で安価な訓練用器具が提案されている（例えば、特許文献１，２参照。）。
【０００４】
上半身形状の人体模型訓練用器具は、空気等の気体により膨張可能な上半身本体に、圧迫力が所定レベルを超えた時に音が発せられるインジケータを有する胸部プレートが取り付けられてなる。しかしながら、この訓練用器具では、使用前には本体を膨張させ、使用後には本体から空気を抜いて萎ませるという、繁雑な作業を必要とするものであった。
【０００５】
一方、胸部を模式的に形成した訓練用器具は、心臓マッサージに要する胸部沈下深さに相当する厚さより厚みのある発泡合成樹脂の胸部本体の中央部に形成された手のひら大の貫通孔に、上下方向に収縮及び復帰する空気室を有する独立気泡の合成樹脂発泡体を透明な軟質塩化ビニールフィルムで被覆し該フィルムに空気室への空気出入用及び検知用の弁を設けた押圧部を配設し、弁による空気出入を検知した際に笛等の音が発せられるものである。しかしながら、押圧部は心臓マッサージの訓練のために繰り返し圧迫されるため、合成樹脂発泡体を被覆している軟質塩化ビニールフィルムが簡単に変形したり破損したりする問題があった。
【先行技術文献】
【特許文献】
【０００６】
【特許文献１】特許第４６１０５５１号
【特許文献１】国際公開第２０１０／１４７１２９号
【発明の概要】
【発明が解決しようとする課題】
【０００７】
本発明は前記の点に鑑みなされたものであり、従来に比して簡易な構成として準備や収納時の作業性を向上させるとともに破損しにくい心臓マッサージ訓練用器具を提供するものである。
【課題を解決するための手段】
【０００８】
すなわち、請求項１の発明は、合成樹脂材料からなる人体の胸部に相当する模擬胸部本体と、該模擬胸部本体の心臓に相当する位置に凹状に形成された模擬心臓部と、該模擬心臓部内に溝深さが異なるとともに直交状に形成された浅溝部及び深溝部とを有する模擬胸部材と、前記模擬心臓部内の前記浅溝部及び前記深溝部上方に配置される合成樹脂発泡体よりなる圧迫部材と、前記模擬心臓部内の前記浅溝部と前記深溝部のいずれかに選択的に収容され前記圧迫部材上面からの十分な圧迫による該圧迫部材の圧縮力により音を発する発音部材とを備えたことを特徴とする心臓マッサージ訓練用器具に係る。
【０００９】
請求項２の発明は、前記発音部材が幅方向に湾曲した板ばね部材よりなる請求項１に記載の心臓マッサージ訓練用器具に係る。
【００１０】
請求項３の発明は、前記浅溝部と前記深溝部との直交位置に前記深溝部より下方に凹んだ心臓部凹部が形成されている請求項２に記載の心臓マッサージ訓練用器具に係る。
【００１１】
請求項４の発明は、前記胸部本体の人体の左右の乳頭部に相当する各位置にそれぞれ模擬乳頭部が形成されているとともに、前記模擬胸部本体の人体の中心線上の剣状突起に相当する位置に模擬剣状突起部が形成され、前記各模擬乳頭部とを結ぶ線と前記中心線との交点に相当する位置で前記浅溝部と前記深溝部とが直交している請求項１ないし３のいずれか１項に記載の心臓マッサージ訓練用器具に係る。
【００１２】
請求項５の発明は、前記浅溝部及び前記深溝部が前記中心線に対して斜め方向に配置されている請求項４項に記載の心臓マッサージ訓練用器具に係る。
【００１３】
請求項６の発明は、前記模擬胸部材に人体の頭部に相当する模擬頭部材が取り付けられている請求項１ないし５のいずれか１項に記載の心臓マッサージ訓練用器具に係る。
【発明の効果】
【００１４】
請求項１の発明に係る心臓マッサージ訓練用器具は、合成樹脂材料からなる人体の胸部に相当する模擬胸部本体と、該模擬胸部本体の心臓に相当する位置に凹状に形成された模擬心臓部と、該模擬心臓部内に溝深さが異なるとともに直交状に形成された浅溝部及び深溝部とを有する模擬胸部材と、前記模擬心臓部内の前記浅溝部及び前記深溝部上方に配置される合成樹脂発泡体よりなる圧迫部材と、前記模擬心臓部内の前記浅溝部と前記深溝部のいずれかに選択的に収容され前記圧迫部材上面からの十分な圧迫による該圧迫部材の圧縮力により音を発する発音部材とを備えたため、構成が極めて簡易で準備や収納に繁雑な作業が不要となるとともに、繰り返しの使用にも耐え得る破損しにくい訓練用器具を提供することができる。
【００１５】
請求項２の発明は、請求項１において、前記発音部材が幅方向に湾曲した板ばね部材よりなるため、複雑で高価な装置を用いることなく安価かつ簡易な構成で発音させることができ、繰り返し圧迫されても破損する恐れがない。
【００１６】
請求項３の発明は、請求項２において、前記浅溝部と前記深溝部との直交位置に前記深溝部より下方に凹んだ心臓部凹部が形成されているため、板ばね部材を十分に押圧変形させることができて確実に発音させることができる。
【００１７】
請求項４の発明は、請求項１ないし３において、前記胸部本体の人体の左右の乳頭部に相当する各位置にそれぞれ模擬乳頭部が形成されているとともに、前記模擬胸部本体の人体の中心線上の剣状突起に相当する位置に模擬剣状突起部が形成され、前記各模擬乳頭部とを結ぶ線と前記中心線との交点に相当する位置で前記浅溝部と前記深溝部とが直交しているため、発音部材を実際の心臓に相当する位置に正確に配置することができる。
【００１８】
請求項５の発明は、請求項４において、前記浅溝部及び前記深溝部が前記中心線に対して斜め方向に配置されているため、訓練者による圧迫位置がずれることがなく、均等に圧迫することができる。
【００１９】
請求項６の発明は、請求項１ないし５において、前記模擬胸部材に人体の頭部に相当する模擬頭部材が取り付けられているため、よりリアルな感覚で訓練を行うことができる。
【図面の簡単な説明】
【００２０】
【図１】本発明の一実施例に係る心臓マッサージ訓練用器具の平面図である。
【図２】図１の心臓マッサージ訓練用器具を用いた訓練の模式図である。
【図３】模擬胸部材の要部断面図である。
【図４】浅溝部及び深溝部近傍の要部断面図である。
【図５】浅溝部に発音部材が収容された状態の斜視図である。
【図６】深溝部に発音部材が収容された状態の斜視図である。
【図７】発音部材の斜視図である。
【図８】訓練者と模擬胸部材の位置関係を表した模式図である。
【図９】浅溝部に発音部材を配置した場合の発音部材近傍の要部断面図である。
【図１０】深溝部に発音部材を配置した場合の発音部材近傍の要部断面図である。
【発明を実施するための形態】
【００２１】
図１，２に示す本発明の一実施例に係る心臓マッサージ訓練用器具１０は、小型化及び実寸での心臓マッサージ訓練を可能とするものであって、等身大の人体の胸部を含む上半身に相当する大きさからなり、模擬胸部材２０と、圧迫部材４０と、発音部材５０とを備え、訓練者Ｔが圧迫部材４０を介して圧迫することによって発音部材５０を発音させるものである。図１，２において、符号１１は各部材２０，４０，５０を収納するための箱体、１２は箱体１１に開閉可能に一体に設けられた蓋体を表す。
【００２２】
模擬胸部材２０は、図１，３に示すように、模擬胸部本体２１と、模擬心臓部３０と、浅溝部３５及び深溝部３６とを有する。模擬胸部材２０では、よりリアルな感覚で訓練を行うことを可能とするために、顔の絵や模型等の人体の頭部に相当する模擬頭部材２５が取り付けられる。実施例の模擬頭部材２５は、顔等が描かれた頭部本体２６と、ヒンジ部２８を介して頭部本体２６と連接されて模擬胸部本体２１に固定される取付部２７とを有する。また、模擬頭部材２５は、箱体１１への収納時には、模擬胸部本体２１に固定された状態でヒンジ部２８を介して模擬胸部本体２１側へ折り重ねられている。
【００２３】
模擬胸部本体２１は、人体の胸部に相当する部分であって、合成樹脂材料からなる。模擬胸部本体２１の材質としては、ポリプロピレン（ＰＰ）、ポリエチレン（ＰＥ）、ポリ塩化ビニル（ＰＶＣ）、ポリスチレン（ＰＳ）等の熱可塑性樹脂が好適に使用される。この模擬胸部本体２１では、図１に示すように、人体の左右の乳頭部に相当する各位置にそれぞれ模擬乳頭部２２，２２が形成されているとともに、人体の中心線Ｌ上の剣状突起に相当する位置に模擬剣状突起部２３が形成されている。
【００２４】
模擬心臓部３０は、図１，３に示すように、模擬胸部本体２１の心臓に相当する位置に凹状に形成された部分である。この模擬心臓部３０では、後述する圧迫部材４０や発音部材５０を載置するための台座部３１が底部３２から所定高さで突出して設けられている。
【００２５】
浅溝部３５及び深溝部３６は、図１，４〜６に示すように、模擬心臓部３０内に溝深さが異なるとともに直交状に形成された溝部である。各溝部３５，３６は、図３〜６に示すように、模擬心臓部３０内の台座部３１上面に形成され、後述する圧迫部材４０の下面と発音部材５０との距離（ｄ１，ｄ２）を調整するためのものである。浅溝部３５は、図４に示すように、台座部３１上面からの溝深さが浅く、圧迫部材４０の下面と発音部材５０とを接近（ｄ１）させて配置することができる。一方、深溝部３６は、台座部３１上面からの溝深さが浅溝部３５より深く、圧迫部材４０の下面と発音部材５０とを離隔（ｄ２）させて配置可能とするものである。
【００２６】
浅溝部３５と深溝部３６は、図１に示すように、各模擬乳頭部２２，２２とを結ぶ線Ｍと中心線Ｌとの交点に相当する位置で直交するように形成されており、後述する発音部材５０を実際の心臓に相当する位置に正確に配置することができる。また、台座部３１の浅溝部３５と深溝部３６との直交位置には、図１，３〜６に示すように、深溝部３６より下方に凹んだ心臓部凹部３３が形成されている。さらに、浅溝部３５と深溝部３６は、図１，８に示すように、中心線Ｌに対して斜め方向に配置されている。実施例では、浅溝部３５及び深溝部３６が中心線Ｌに対して約４５度の角度で配置される。
【００２７】
圧迫部材４０は、合成樹脂発泡体よりなり、図３，４に示すように、模擬心臓部３０内の浅溝部３５及び深溝部３６上方に配置される。この圧迫部材４０は、訓練者Ｔが心臓マッサージの訓練を行う際に圧迫する部分であり、心臓マッサージが有効となる十分な圧迫力を加えることによって、後述する発音部材５０を発音させることができる。圧迫部材４０の材質としては、人体を圧迫した場合に相当する弾力を備えるとともに、繰り返し圧迫を行った場合でも破損しにくい適宜の合成樹脂発泡体よりなり、例えばウレタンやポリエチレン等が好適に使用される。
【００２８】
発音部材５０は、図３，５，６に示すように、模擬心臓部３０内の浅溝部３５と深溝部３６のいずれかに選択的に収容され、圧迫部材４０上面からの十分な圧迫による該圧迫部材４０の圧縮力により音を発するものである。発音部材５０としては、訓練者Ｔが圧迫部材４０を介して圧迫した際に発音するとともに、繰り返し圧迫を行った場合でも破損しにくい構成であれば特に限定されるものではない。実施例では、図７に示すように、幅方向に湾曲した板ばね部材５１が使用される。この板ばね部材５１は、湾曲部５２を上側として配置され、圧迫部材４０の圧縮力が作用することにより湾曲部５２が押圧変形されて発音し、圧縮力が作用しなくなるとばねの復元作用により元に戻るものである。その際、浅溝部３５と深溝部３６との直交位置に心臓部凹部３３が形成されていることにより、圧迫された板ばね部材５１の変形が妨げられることがなく、十分に押圧変形させることができて確実に発音させることができる。このように、発音部材５０として板ばね部材５１を用いることにより、複雑で高価な装置を用いることなく、安価かつ簡易な構成で発音させることができ、圧迫により繰り返し押圧変形されても破損する恐れがない。
【００２９】
また、発音部材は、図４，５に示すように、模擬心臓部３０の浅溝部３５に収容して圧迫部材４０の下面側に近接させることにより、小さい圧縮力でも発音させることが可能となる。一方、図４，６に示すように、模擬心臓部３０の深溝部３６に収容して圧迫部材４０の下面側から離隔させることにより、発音させるために大きな圧縮力を必要とするように構成することが可能となる。すなわち、発音部材５０の収容位置を浅溝部３５と深溝部３６のいずれかに選択することにより、発音させるために必要な圧縮力を容易に変化させることができる。
【００３０】
次に、当該心臓マッサージ訓練用器具１０の使用方法について説明する。まず、各部材２０，４０，５０が収納された箱本体１１を床等に載置し、図１，２に示すように、蓋体１２を開放した後、模擬頭部材２５を模擬胸部本体２１に折り重なった状態からヒンジ部を介して開放された蓋体１２側へ倒す。ここで、心臓マッサージの対象として子供等を想定して訓練する場合、図５及び図９（ａ）に示すように、模擬心臓部３０の浅溝部３５に発音部材５０である板ばね部材５１を収容して、圧迫部材４０を模擬心臓部３０内の台座部３１上面に設置する。
【００３１】
次に、訓練者Ｔは、図２，８に示すように、当該訓練用器具１０の左右いずれかの側方の位置に着き、模擬心臓部３０内に収納された圧迫部材４０上面に両手を乗せて、該圧迫部材４０の圧迫を行う。その際、訓練者Ｔが圧迫部材４０へ十分な圧迫を加えると、図９（ｂ）に示すように、圧迫部材４０が下方に圧縮されて該圧迫部材４０下面が板ばね部材５１を押圧変形させる。これにより、板ばね部材５１は１回音を発し、訓練者Ｔが圧迫をやめて圧迫部材４０の圧縮が解除されると、図９（ａ）に示すように、板ばね部材５１の復元作用により元に戻される。以後、訓練者Ｔにより圧迫が繰り返し行われて十分な圧迫が加えられるたびに、板ばね部材５１が音を発して正常に心臓マッサージが行われていることを確認することができる。
【００３２】
一方、対象として成人等を想定して訓練する場合、図６及び図１０（ａ）に示すように、模擬心臓部３０の深溝部３６に板ばね部材５１を収容して、圧迫部材４０を模擬心臓部３０内の台座部３１上面に設置する。次に、図２，８に示すように、対象に子供等を想定した場合と同様に、訓練者Ｔは、当該訓練用器具１０の左右いずれかの側方の位置に着き、模擬心臓部３０内に収納された圧迫部材４０上面に両手を乗せて、該圧迫部材４０の圧迫を行う。
【００３３】
ここで、板ばね部材５１は、深溝部３６に収容されて浅溝部３５に収容された場合より圧迫部材３０下面との距離が離れている。そのため、訓練者Ｔが浅溝部３５に収容された場合より大きな圧迫力を圧迫部材４０へ加えることによって、図１０（ｂ）に示すように、圧迫部材４０を介して板ばね部材５１を押圧変形させて発音させることができる。そして、訓練者Ｔが圧迫をやめると、図１０（ａ）に示すように、板ばね部材５１の復元作用により元に戻され、以後、訓練者Ｔにより圧迫が繰り返し行われて十分な圧迫が加えられるたびに、板ばね部材５１が音を発して正常に心臓マッサージが行われていることを確認することができる。
【００３４】
また、この訓練用器具１０では、図１，８に示すように、浅溝部３５及び深溝部３６が模擬胸部材２０の中心線Ｌに対して斜め方向に配置されていることから、浅溝部３５及び深溝部３６が当該訓練用器具１０の側方から圧迫する訓練者Ｔに対して斜め方向に配置された位置関係となる。従って、発音部材５０を浅溝部３５と深溝部３６のいずれに収容した場合であっても、訓練者Ｔによる圧迫位置がずれることがなく、均等に圧迫することができる。
【００３５】
なお、訓練を終了する際には、模擬頭部材２５を模擬胸部本体２１側へ折り重ねた後、蓋体１２を閉じるだけでよい。
【００３６】
以上図示し説明したように、本発明の心臓マッサージ訓練用器具１０は、模擬胸部材２０の浅溝部３５と深溝部３６のいずれかに発音部材５０を選択的に収容して、その上面に圧迫部材４０を設置するだけで訓練を実施することが可能であるため、構成が極めて簡易で準備や収納に繁雑な作業が不要となる。
【００３７】
また、この訓練用器具１０では、従来のように訓練者Ｔが圧迫を加える部位に破損しやすい軟質塩化ビニールフィルム等の部材を使用する必要がなく、人体の胸部に相当する模擬胸部材２０に配置された合成樹脂発泡体よりなる圧迫部材４０を上面から圧迫するだけで訓練が可能であるため、繰り返しの使用にも耐え得る破損しにくい訓練用器具を提供することができる。
【００３８】
なお、本発明の心臓マッサージ訓練用器具は、前述の実施例のみに限定されるものではなく、発明の趣旨を逸脱しない範囲において構成の一部を適宜に変更して実施することができる。例えば、合成樹脂発泡体の硬度が異なる複数の圧縮部材を用い、該圧縮部材の硬度の相違と発音部材の浅溝部または深溝部への配置の相違とを適宜組み合わせるようにすれば、圧縮力をより多様に変化させることができる。
【符号の説明】
【００３９】
１０    心臓マッサージ訓練用器具
２０    模擬胸部材
２１    模擬胸部本体
２２    模擬乳頭部
２３    模擬剣状突起部
２５    模擬頭部材
３０    模擬心臓部
３１    台座部
３３    心臓部凹部
３５    浅溝部
３６    深溝部
４０    圧迫部材
５０    発音部材
５１    板ばね部材
Ｌ      模擬胸部材の中心線
Ｍ      模擬乳頭部を結ぶ線
Ｔ      訓練者
【図１】
2013160982.tif 000003
【図２】
2013160982.tif 000004
【図３】
2013160982.tif 000005
【図４】
2013160982.tif 000006
【図５】
2013160982.tif 000007
【図６】
2013160982.tif 000008
【図７】
2013160982.tif 000009
【図８】
2013160982.tif 000010
【図９】
2013160982.tif 000011
【図１０】
2013160982.tif 000012